(57)【要約】【課題】レコード盤に記録されている音の情報を忠実にダビングする。【解決手段】レコード盤を、既定よりも遅い回転速度で回転させる。回転している前記レコード盤の溝にレコード針を接触させ、前記溝に記録されている音の情報をアナログ信号に変換する。前記アナログ信号をサンプリングして、デジタルデータに変換する。前記デジタルデータを、記憶媒体に記憶させる。前記記憶媒体が記憶したデジタルデータを、既定よりも速い再生速度で再生してもよい。前記アナログ信号をサンプリングするとき、既定よりも低いサンプリング周波数でサンプリングしてもよい。【選択図】図１
2019192317.tif 000002
【特許請求の範囲】
【請求項１】
レコード盤を、既定よりも遅い回転速度で回転させ、
回転している前記レコード盤の溝にレコード針を接触させ、前記溝に記録されている音の情報をアナログ信号に変換し、
前記アナログ信号をサンプリングして、デジタルデータに変換し、
前記デジタルデータを、記憶媒体に記憶させる、
レコード盤ダビング方法。
【請求項２】
前記アナログ信号をサンプリングするとき、既定よりも低いサンプリング周波数でサンプリングし、
既定のサンプリング周波数に対する前記サンプリング周波数の比は、既定の回転速度に対する前記レコード盤の回転速度の比と実質的に等しく、
これにより、前記記憶媒体が記憶したデジタルデータを既定の速度で再生すると、前記レコード盤に録音されていた音を既定の速度で再生できる、
請求項１のレコード盤ダビング方法。
【請求項３】
請求項１のレコード盤ダビング方法で前記記憶媒体が記憶したデジタルデータを、既定よりも速い再生速度で再生し、
既定の再生速度に対する前記再生速度の比は、前記レコード盤の回転速度に対する既定の回転速度の比と実質的に等しく、
これにより、前記レコード盤に録音されていた音を既定の速度で再生する、
レコード盤ダビングデータ再生方法。
【請求項４】
レコード盤を、既定よりも遅い回転速度で回転させるターンテーブルと、
前記ターンテーブルが前記レコード盤を回転させているとき、前記レコード盤の溝にレコード針を接触させ、前記溝に記録されている音の情報をアナログ信号に変換するピックアップと、
前記ピックアップが変換した前記アナログ信号をサンプリングして、デジタルデータに変換するアナログデジタル変換部と、
前記アナログデジタル変換部が変換した前記デジタルデータを、記憶媒体に記憶させる記憶部と
を備える、レコード盤ダビング装置。
【請求項５】
前記アナログデジタル変換部は、既定よりも低いサンプリング周波数で、前記アナログ信号をサンプリングし、
既定のサンプリング周波数に対する前記サンプリング周波数の比は、既定の回転速度に対する前記レコード盤の回転速度の比と実質的に等しく、
これにより、前記記憶媒体が記憶したデジタル信号を既定の速度で再生すると、前記レコード盤に記録されていた音を既定の速度で再生できる、
請求項４のレコード盤ダビング装置。
【請求項６】
請求項４のレコード盤ダビング装置が前記記憶媒体に記憶させたデジタルデータを取得する取得部と、
前記取得部が取得したデジタルデータを、既定よりも高いサンプリング周波数であるものとして、アナログ信号に変換するデジタルアナログ変換部と
を備え、
既定のサンプリング周波数に対する前記サンプリング周波数の比は、前記レコード盤の回転速度に対する既定の回転速度の比と実質的に等しく、
これにより、前記レコード盤に録音されていた音を既定の速度で再生する、
レコード盤ダビングデータ再生装置。
【発明の詳細な説明】
【技術分野】
【０００１】
本発明は、レコード盤に記録された音の情報をダビングしてデジタルデータとして記録する方法及び装置、並びに、記録したデジタルデータを再生する方法及び装置に関する。
【背景技術】
【０００２】
現在では、音楽など音の情報をデジタルデータとして記録し、デジタルプレーヤーなどを用いて再生することが、一般的である。
一方で、レコード盤などに記録された古い音源もある。しかし、レコード盤に記録された音の情報を再生できるレコードプレーヤーなどの装置は、一般的ではなくなってきている。
そこで、レコード盤に記録された音の情報を、デジタルプレーヤーを用いて再生できるようにするため、ダビングしてデジタルデータとして記録することが求められる。
そのための一般的な方法として、通常のレコードプレーヤーを用いて、レコード盤に記録された音の情報をアナログ信号に変換し、変換したアナログ信号をサンプリングしてデジタルデータに変換することが行われている。
【先行技術文献】
【特許文献】
【０００３】
【特許文献１】特許６７４１４号公報
【発明の概要】
【発明が解決しようとする課題】
【０００４】
上述した方法では、アームの慣性などにより、レコード針がレコード盤の溝に忠実に移動できず、音質が落ちる場合がある。
本発明は、このような課題を解決し、音質を落とさずに、レコード盤に記録された音の情報をダビングしてデジタルデータとして記録することを目的とする。
【課題を解決するための手段】
【０００５】
ターンテーブルなどにレコード盤を載せて、既定よりも遅い回転速度で回転させる。ピックアップなどにより、回転している前記レコード盤の溝にレコード針を接触させ、前記溝に記録されている音の情報をアナログ信号に変換する。アナログデジタル変換部などにより、前記アナログ信号をサンプリングして、デジタルデータに変換する。記憶部などにより、前記デジタルデータを、記憶媒体に記憶させる。
前記記憶媒体が記憶したデジタルデータを、既定よりも速い再生速度で再生してもよい。既定の再生速度に対する前記再生速度の比は、前記レコード盤の回転速度に対する既定の回転速度の比と実質的に等しくてもよい。
取得部などにより、前記記憶媒体が記憶したデジタルデータを取得してもよい。デジタルアナログ変換部などにより、取得したデジタルデータを、既定よりも高いサンプリング周波数であるものとして、アナログ信号に変換してもよい。既定のサンプリング周波数に対する前記サンプリング周波数の比は、前記レコード盤の回転速度に対する既定の回転速度の比と実質的に等しくてもよい。
前記アナログ信号をサンプリングするとき、既定よりも低いサンプリング周波数でサンプリングしてもよい。既定のサンプリング周波数に対する前記サンプリング周波数の比は、既定の回転速度に対する前記レコード盤の回転速度の比と実質的に等しくてもよい。
【発明の効果】
【０００６】
レコード盤を既定よりも遅い回転速度で回転させるので、レコード針が、レコード盤の溝に忠実に移動できる。このため、音質が落ちるのを防ぐことができる。
レコード盤を遅く回転させた分、記憶したデジタルデータを再生するとき、早回しで再生すれば、普通の速さで再生することができる。
また、レコード盤を遅く回転させた分、アナログ信号をサンプリングするときのサンプリング周波数を低くすれば、記憶したデジタルデータを再生するとき、早回しで再生する必要がなく、普通に再生すればよい。
【図面の簡単な説明】
【０００７】
【図１】ダビング装置の一例を示す構成図。
【図２】再生装置の一例を示す構成図。
【発明を実施するための形態】
【０００８】
図１に示すダビング装置１０（レコード盤ダビング装置）は、ターンテーブル１１と、モータ１２と、アーム１３と、ピックアップ１４と、Ａ／Ｄ変換部１５（アナログデジタル変換部）と、記憶部１６と、制御部１９とを備える。
ターンテーブル１１は、レコード盤を載せるためのものである。
モータ１２は、ターンテーブル１１を回転させる。
アーム１３は、ターンテーブル１１に載せたレコード盤の溝に沿って、ピックアップ１４を移動させる。
ピックアップ１４は、ターンテーブル１１に載せたレコード盤の溝に、レコード針３０を接触させて、溝の深さを読み取り、溝に記録されている音の情報を取得して、アナログ信号に変換する。
ここまでは、通常のレコードプレーヤーと同様である。
【０００９】
Ａ／Ｄ変換部１５は、ピックアップ１４が変換したアナログ信号をサンプリングして、デジタルデータに変換する。デジタルデータのフォーマットは、例えばＭＰ３など既存の規格に沿ったものであってもよいし、独自のフォーマットであってもよい。
記憶部１６は、Ａ／Ｄ変換部１５が変換したデジタルデータを、記憶媒体４０に記憶させる。記憶媒体４０は、デジタルデータを記憶できるものであればよく、例えば、ＳＤメモリ、ＵＳＢメモリ、ＣＤ、ＤＶＤ、ハードディスク、クラウドストレージなどであってもよい。
【００１０】
制御部１９は、ダビング装置１０全体の動作を制御する。
制御部１９は、モータ１２を制御して、ターンテーブル１１を既定の回転速度よりも遅い速度で回転させる。例えば、ＬＰレコード盤は、既定の回転速度が１分間に３３と１／３回転である。これを、例えば１分間に１６と２／３回転で回転させる。また、シングルレコード盤は、既定の回転速度が１分間に４５回転である。これを、例えば１分間に２２．５回転で回転させる。モータ１２がターンテーブル１１を回転させる回転速度は、既定の速度の半分に限らず、もっと遅くてもよい。回転速度が遅ければ遅いほど、ダビングにかかる時間は長くなるが、音質は向上する。
【００１１】
図２に示す再生装置５０（レコード盤ダビングデータ再生装置）は、取得部５１と、Ｄ／Ａ変換部５２（デジタルアナログ変換部）と、スピーカ５３とを備える。
取得部５１は、ダビング装置１０が記憶させたデジタルデータを、記憶媒体４０から取得する。
Ｄ／Ａ変換部５２は、取得部５１が取得したデジタルデータをアナログ信号に変換する。
スピーカ５３は、Ｄ／Ａ変換部５２が変換したアナログ信号を音波に変換する。
【００１２】
再生装置５０は、記憶媒体４０が記憶したデジタルデータを、既定よりも速い再生速度で再生する。例えば、ダビング装置１０において、ターンテーブル１１を既定の半分の速度で回転させて記録したデジタルデータであれば、２倍の速度で早回し再生する。そうすれば、もとのレコード盤に記録されていた音を、忠実に再現できる。
具体的には、例えば、Ｄ／Ａ変換部５２が、取得部５１が取得したデジタルデータを、既定よりも高いサンプリング周波数でサンプリングしたものとして、アナログ信号に変換する。例えば、サンプリング周波数が３２ｋＨｚのＭＰ３規格で作成したデジタルデータを、サンプリング周波数が６４ｋＨｚであるものとして、アナログ信号に変換する。
ターンテーブル１１の回転速度がもっと遅い場合は、それに対応して、再生速度をもっと速くすればよい。レコード盤の既定の回転速度をω０、ターンテーブル１１の回転速度をω、テジタルデータの既定のサンプリング周波数をｆ０、Ｄ／Ａ変換部５２が仮定するサンプリング周波数をｆとすると、ω０／ω＝ｆ／ｆ０となるようにすれば、もとのレコード盤に記録されていた音を、忠実に再現できる。
【００１３】
なお、再生時に早回しする必要をなくすため、ダビング装置１０を以下のように構成してもよい。
すなわち、制御部１９は、Ａ／Ｄ変換部１５を制御して、既定よりも遅いサンプリング周波数でサンプリングさせる。例えば、ターンテーブル１１を既定の半分の速度で回転させた場合、Ａ／Ｄ変換部１５も、既定の半分のサンプリング周波数でサンプリングする。例えば、サンプリング周波数１６ｋＨｚでサンプリングした上で、作成するデジタルデータには、サンプリング周波数が３２ｋＨｚであると記録する。これにより、作成したデジタルデータを、通常のデジタルプレーヤーで普通に再生すれば、もとのレコード盤に記録されていた音を、忠実に再現できる。
ターンテーブル１１の回転速度がもっと遅い場合は、それに対応して、サンプリング周波数をもっと低くすればよい。レコード盤の既定の回転速度をω０、ターンテーブル１１の回転速度をω、テジタルデータの既定のサンプリング周波数をｆ０、Ａ／Ｄ変換部１５がサンプリングする実際のサンプリング周波数をｆとすると、ω０／ω＝ｆ０／ｆとなるようにすればよい。
【００１４】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００１５】
１０  ダビング装置、１１  ターンテーブル、１２  モータ、１３  アーム、１４  ピックアップ、１５  Ａ／Ｄ変換部、１６  記憶部、１９  制御部、３０  レコード針、４０  記憶媒体、５０  再生装置、５１  取得部、５２  Ｄ／Ａ変換部、５３  スピーカ。
【図１】
2019192317.tif 000003
【図２】
2019192317.tif 000004